(57)【要約】  このステータでは、回転軸線方向から見て、径方向に沿って延びるように設けられた第１接合部と、締結部材に対応する位置に設けられ、締結部材に重ならないように、回転軸線方向に沿って延びるように設けられた第２接合部とが設けられている。
2020194890.tif 000002
【特許請求の範囲】
【請求項１】
外径側に締結部材が挿入される締結孔を有する環状の鋼板が積層され、スロットを形成する複数のティースを有するステータコアと、
前記スロットに収容される一対の脚部と、前記ステータコアの端面の外側に配置され前記一対の脚部同士を接続する渡り部と、前記ステータコアの外径側に配置されるリード線部とを有する複数のコイルとを備え、
前記複数のコイルのうちの第１コイルの前記リード線部の端部側に設けられる第１先端部と、前記複数のコイルのうちの第２コイルの前記リード線部の端部側に設けられる第２先端部とが、回転軸線方向から見て、前記締結孔に挿入される前記締結部材の内径側の端部よりも外径側に配置されているとともに、径方向に沿って延びるように設けられた状態で接合されて構成されている第１接合部と、
前記締結部材に対応する位置に設けられ、前記複数のコイルのうちの第３コイルの前記リード線部の端部側に設けられる第３先端部と、前記複数のコイルのうちの第４コイルの前記リード線部の端部側に設けられる第４先端部とが、回転軸線方向から見て、前記締結部材に重ならないように、回転軸線方向に沿って延びるように設けられた状態で接合されて構成されている第２接合部とが設けられている、ステータ。
【請求項２】
回転軸線方向から見て、前記第１接合部よりも、前記第２接合部の方が、内径側に配置されている、請求項１に記載のステータ。
【請求項３】
径方向から見て、前記締結部材の周方向における位置と、前記第２接合部の周方向における位置とがオーバラップしている、請求項１または２に記載のステータ。
【請求項４】
前記締結部材が挿入される前記締結孔は、周方向に沿って等角度間隔で複数設けられており、
前記複数の締結孔それぞれの周方向位置に対応するように、前記第２接合部が複数設けられている、請求項１〜３のいずれか１項に記載のステータ。
【請求項５】
前記第２接合部を覆うように設けられる絶縁被覆部をさらに備える、請求項1〜４のいずれか１項に記載のステータ。
【請求項６】
前記第２接合部は、周方向において、互いに隣り合うように複数設けられており、
周方向において、互いに隣り合うように複数設けられている前記第２接合部の相は、同じである、請求項１〜５のいずれか１項に記載のステータ。
【請求項７】
前記第２接合部を覆うように設けられる絶縁被覆部をさらに備え、
前記絶縁被覆部は、互いに隣り合うように複数設けられている同相の前記第２接合部同士を覆うように設けられる、請求項６に記載のステータ。
【請求項８】
回転軸線方向から見て、前記第１接合部は、前記ステータコアの外周面よりも内径側に配置されている、請求項１〜７のいずれか１項に記載のステータ。
【請求項９】
前記第１接合部は、前記第１先端部および前記第２先端部がともに径方向外側に延びた状態で、かつ、前記第１先端部および前記第２先端部同士が回転軸線方向に積層された状態で接合されて構成されており、
前記第２接合部は、前記第３先端部および前記第４先端部がともに回転軸線方向に延びた状態で、かつ、前記第３先端部および前記第４先端部同士が径方向に積層された状態で接合されて構成されている、請求項１〜８のいずれか１項に記載のステータ。
【請求項１０】
前記第１接合部の上端から前記ステータコアの端面までの軸方向距離は、前記締結部材の上端から前記ステータコアの端面までの軸方向距離よりも大きい、請求項１〜９のいずれか１項に記載のステータ。
【請求項１１】
前記複数のコイルのそれぞれは、平角導線が複数回巻回されて構成されており、
前記複数のコイルのそれぞれの前記リード線部は、前記平角導線の一方端側に配置され、前記ステータコアの内径側から外径側に延びるように設けられる一方側リード線部と、前記平角導線の他方端側に配置され、前記ステータコアの外径側に設けられる他方側リード線部とを含み、
前記第１コイルおよび前記第２コイルのそれぞれは、前記一方側リード線部の先端部と前記他方側リード線部の先端部とがともに径方向に沿って延びる形状を有し、
前記第３コイルおよび前記第４コイルのそれぞれは、前記一方側リード線部の先端部と前記他方側リード線部の先端部とがともに回転軸線方向に沿って延びる形状を有する、請求項１〜１０のいずれか１項に記載のステータ。
【請求項１２】
回転軸線方向から見て、前記第１接合部は、前記締結部材の内径側の端部よりも径方向外側に配置されており、かつ、複数設けられており、
前記複数の第１接合部は、径方向外側に向かって放射状に延びるように配置されている、請求項１〜１１のいずれか１項に記載のステータ。
【請求項１３】
回転軸線方向から見て、前記第２接合部は、前記締結部材の内径側の端部よりも径方向内側に配置されている、請求項１〜１２のいずれか１項に記載のステータ。
【発明の詳細な説明】
【技術分野】
【０００１】
本発明は、ステータに関する。
【背景技術】
【０００２】
従来、締結部材が挿入される締結孔を有するステータコアを備えるステータが知られている。このようなステータは、たとえば、特開２０１７−５０９３７号公報に開示されている。【０００３】
特開２０１７−５０９３７号公報に記載のステータでは、ステータコアの外周側に締結孔（ボルト孔）が設けられている。この締結孔にボルト（締結部材）が挿入されることにより、ステータがモータケース等に取り付けられる。また、ステータのスロットには、複数の同芯巻コイルが取り付けられている。同芯巻コイルは、平角導線が同芯巻きされて構成されることにより形成されている。また、同芯巻コイルの巻き始めと巻き終わりとには、リード線部が設けられている。そして、一の同芯巻コイルのリード線部の端部側に設けられる先端部と、他の同芯巻コイルのリード線部の端部側に設けられる先端部とが、ステータコアの外径側において接合されている。また、一の同芯巻コイルのリード線部と、他の同芯巻コイルのリード線部とは、径方向に沿って延びるように設けられた状態で互いに接合されている。【０００４】
また、リード線部が径方向に沿って延びるように設けられている場合、接合部（一の同芯巻コイルのリード線部の先端部と他の同芯巻コイルのリード線部の先端部とが接合されている部分）と、ステータコアの外径側に配置される締結孔に挿入されるボルトおよびボルトを組み付ける治具とが干渉する場合がある。このため、モータケース等へのステータコアの取り付けが困難になる場合がある。そこで、特開２０１７−５０９３７号公報では、回転軸線方向から見て、締結孔の周囲に配置される接合部が締結孔にオーバラップしないように、接合部が、締結孔（ボルト）の周方向の一方側に避けるように配置されている。
【先行技術文献】
【特許文献】
【０００５】
【特許文献１】特開２０１７−５０９３７号公報
【発明の概要】
【発明が解決しようとする課題】
【０００６】
しかしながら、特開２０１７−５０９３７号公報のステータでは、接合部が、締結孔（ボルト）の周方向の一方側に避けるように配置されているため、締結孔（ボルト）を避けるように配置された接合部と、この接合部に隣接する接合部との間隔が比較的小さくなる。ところで、先端部を接合する際の先端部同士の位置決めや、接合された先端部の絶縁処理などのために、先端部を覆うように（先端部の周囲に）冶具を配置する必要がある。しかしながら、特開２０１７−５０９３７号公報のステータでは、接合部同士の間隔が比較的小さくなるため、冶具の配置が困難になる場合がある。その結果、ステータの量産性が悪化する場合があるという問題点がある。【０００７】
この発明は、上記のような課題を解決するためになされたものであり、この発明の１つの目的は、締結部材および締結部材を組み付ける冶具との干渉を防止しながら、量産性を向上させることが可能なステータを提供することである。
【課題を解決するための手段】
【０００８】
上記目的を達成するために、この発明の一の局面におけるステータは、外径側に締結部材が挿入される締結孔を有する環状の鋼板が積層され、スロットを形成する複数のティースを有するステータコアと、スロットに収容される一対の脚部と、ステータコアの端面の外側に配置され一対の脚部同士を接続する渡り部と、ステータコアの外径側に配置されるリード線部とを有する複数のコイルとを備え、複数のコイルのうちの第１コイルのリード線部の端部側に設けられる第１先端部と、複数のコイルのうちの第２コイルのリード線部の端部側に設けられる第２先端部とが、回転軸線方向から見て、締結孔に挿入される締結部材の内径側の端部よりも外径側に配置されているとともに、径方向に沿って延びるように設けられた状態で接合されて構成されている第１接合部と、締結部材に対応する位置に設けられ、複数のコイルのうちの第３コイルのリード線部の端部側に設けられる第３先端部と、複数のコイルのうちの第４コイルのリード線部の端部側に設けられる第４先端部とが、回転軸線方向から見て、締結部材に重ならないように、回転軸線方向に沿って延びるように設けられた状態で接合されて構成されている第２接合部とが設けられている。【０００９】
この発明の一の局面によるステータでは、上記のように、締結部材に対応する位置に設けられ、第３コイルのリード線部の端部側に設けられる第３先端部と、第４コイルのリード線部の端部側に設けられる第４先端部とが、回転軸線方向から見て、締結部材に重ならないように、回転軸線方向に沿って延びるように設けられた状態で接合されて構成されている第２接合部が設けられている。これにより、第２接合部が、回転軸線方向に沿って延びるように設けられているので、接合部を周方向に避けるように構成する場合と異なり、第１接合部と第２接合部との間の距離が比較的大きくなる。その結果、第１接合部および第２接合部の周囲に冶具を容易に配置することができるので、ステータの生産性を向上させることができる。また、第２接合部が、回転軸線方向に沿って延びるように設けられているので、締結部材および締結部材を組み付ける冶具との干渉を防止することができる。これらの結果、締結部材および締結部材を組み付ける冶具との干渉を防止しながら、量産性を向上させることができる。【００１０】
また、全ての接合部を回転軸線方向に沿って延びる第２接合部により構成する場合と異なり、一部の接合部は、第１接合部により構成される。これにより、第１接合部により構成された部分の回転軸線方向の長さが比較的小さくなるので、第１接合部により構成された部分の周囲に他の部材などを配置することができる。【００１１】
また、全ての接合部を回転軸線方向に沿って延びる第２接合部により構成する場合と異なり、第１接合部が径方向に沿って延びることによって、第１接合部の先端部同士の間隔が比較的大きくなる。これにより、第１接合部の先端部を処理するための治具を容易に配置することができるので、ステータの量産性を向上させることができる。
【発明の効果】
【００１２】
本発明によれば、上記のように、締結部材および締結部材を組み付ける冶具との干渉を防止しながら、量産性を向上させることができる。
【図面の簡単な説明】
【００１３】
【図１】一実施形態によるステータの斜視図である。
【図２】一実施形態によるステータの断面図である。
【図３】一実施形態による接合部が径方向に延びる同芯巻コイルの斜視図（１）である。
【図４】一実施形態による接合部が径方向に延びる同芯巻コイルの斜視図（２）である。
【図５】一実施形態による接合部が回転軸線方向に延びる同芯巻コイルの斜視図（１）である。
【図６】一実施形態による接合部が回転軸線方向に延びる同芯巻コイルの斜視図（２）である。
【図７】一実施形態によるステータの上面図である。
【図８】図１の部分拡大図である。
【図９】径方向に延びる接合部の模式図である。
【図１０】回転軸線方向に延びる接合部の模式図である。
【図１１】同芯巻コイル（巻線）の配置を示す図である。
【発明を実施するための形態】
【００１４】
以下、本発明の実施形態を図面に基づいて説明する。
【００１５】
［本実施形態］
（ステータの構造）
図１〜図１１を参照して、本実施形態によるステータ１００の構造について説明する。
【００１６】
本願明細書では、「軸方向（回転軸線方向）」とは、図１に示すように、ステータ１００の中心軸線Ｃ１に沿った方向（Ｚ方向）を意味する。また、「周方向」とは、ステータ１００の周方向（Ａ方向）を意味する。また、「径方向内側（内径側）」とは、径方向に沿ってステータ１００の中心軸線Ｃ１に向かう方向（Ｒ１方向）を意味する。また、「径方向外側（外径側）」とは、径方向に沿ってステータ１００の外に向かう方向（Ｒ２方向）を意味する。
【００１７】
図１に示すように、ステータ１００は、ステータコア１０と、複数の同芯巻コイル２０とを含む。なお、同芯巻コイル２０は、特許請求の範囲の「コイル」の一例である。
【００１８】
また、ステータコア１０は、ボルト２が挿入される締結孔１１（図２参照）を有する環状の鋼板が積層されることにより形成されている。ステータコア１０は、締結部材１により、筐体（図示せず）などに固定されている。また、締結部材１は、ボルト２とワッシャ３とを含む。ボルト２は、ワッシャ３を介して、締結孔１１に挿入されている。また、ステータコア１０は、スロット１２を形成する複数のティース１３を有する。そして、締結孔１１にボルト２が挿入されて締結されることにより、ステータコア１０は、図示しないステータハウジングなどに取り付けられる。また、スロット１２の外径側には、バックヨーク１４が設けられている。また、締結孔１１は、環状の鋼板から外側に突出するように設けられた耳部１５に配置されている。
【００１９】
また、締結孔１１は複数（本実施形態では、８個）設けられている。複数の締結孔１１は、略等角度間隔（略４５度間隔）で、ステータコア１０に設けられている。
【００２０】
（同芯巻コイルの構造）
複数の同芯巻コイル２０のそれぞれは、平角導線２１（図３参照）が複数回巻回される（同芯巻される）ことにより形成されている。また、ステータ１００では、図３〜図６に示すように、４種類の同芯巻コイル３０、同芯巻コイル４０、同芯巻コイル５０、および、同芯巻コイル６０が用いられている。なお、同芯巻コイル３０、４０、５０および６０は、特許請求の範囲の「コイル」の一例である。また、同芯巻コイル３０および４０は、それぞれ、特許請求の範囲の「第１コイル」および「第２コイル」の一例である。また、同芯巻コイル５０および６０は、それぞれ、特許請求の範囲の「第３コイル」および「第４コイル」の一例である。
【００２１】
なお、図１１に示すように、同芯巻コイル３０および同芯巻コイル４０は、たとえば、Ｖ相、Ｗ相、および、Ｕ相の一部（第１接合部２２を構成するコイル）のコイルを構成する。また、同芯巻コイル５０および同芯巻コイル６０は、たとえば、Ｕ相の一部（第２接合部２３を構成するコイル）のコイルを構成する。また、Ｕ相では、同芯巻コイル３０および４０の組と、同芯巻コイル５０および６０の組とが周方向に沿って交互に配置されている。
【００２２】
図３に示すように、同芯巻コイル３０は、スロット１２に収容される一対の脚部３１を有する。また、同芯巻コイル３０は、ステータコア１０の端面１０ａ（図１参照）の外側に配置され、一対の脚部３１同士を接続する渡り部（コイルエンド部）３２を有する。また、同芯巻コイル３０は、ステータコア１０の外径側に配置されるリード線部３３およびリード線部３４を有する。また、リード線部３３は、平角導線２１の一方端に対応する。また、リード線部３４は、平角導線２１の他方端に対応する。また、リード線部３３は、同芯巻コイル３０の最内径側に配置される脚部３１に連続している。また、リード線部３４は、同芯巻コイル４０の最外径側に配置される脚部３１に連続している。なお、リード線部３３およびリード線部３４は、それぞれ、特許請求の範囲の「一方側リード線部」および「他方側リード線部」の一例である。
【００２３】
また、図３に示すように、リード線部３３は、径方向外側（Ｒ２方向側）に延びる部分を有する。リード線部３３は、同芯巻コイル３０の内径側（Ｒ１方向側）から外径側（Ｒ２方向側）に延びるように設けられている。具体的には、リード線部３３は、周方向のＡ１方向側に沿って延びる部分３３ａと、回転軸線方向に沿って延びる部分３３ｂと、径方向外側（Ｒ２方向側）に沿って延びる部分３３ｃと、径方向に交差するように、つまり、径方向外側に向かって、かつ、周方向のＡ１方向側に向かって（略水平に）延びる部分３３ｄと、径方向に沿って延びる部分３３ｅとを含む。また、また、部分３３ｅの先端側には、径方向に沿って延びる先端部３３ｆが設けられている。また、先端部３３ｆの絶縁被覆は、除去されている。
【００２４】
また、図３に示すように、リード線部３４は、径方向外側（Ｒ２方向側）に延びる部分を有する。リード線部３４は、同芯巻コイル３０の外径側（Ｒ２方向側）に配置されている。具体的には、リード線部３４は、回転軸線方向に沿って延びる部分３４ａと、径方向外側（Ｒ２方向側）に沿って延びる部分３４ｂとを含む。また、部分３４ｂの先端側には、径方向に沿って延びる先端部３４ｃが設けられている。また、先端部３４ｃの絶縁被覆は、除去されている。なお、先端部３３ｆおよび３４ｃは、特許請求の範囲の「第１先端部」の一例である。
【００２５】
図４に示すように、同芯巻コイル４０は、同芯巻コイル３０と同様に、一対の脚部４１と、渡り部４２と、リード線部４３と、リード線部４４とを有する。リード線部４３の構成は、上記の同芯巻コイル３０のリード線部３３の構成と同様である。また、リード線部４３の径方向に沿って延びる先端部４３ｆの絶縁被覆は、除去されている。また、リード線部４３は、同芯巻コイル４０の最内径側に配置される脚部４１に連続している。また、リード線部４４は、同芯巻コイル４０の最外径側に配置される脚部４１に連続している。なお、リード線部４３およびリード線部４４は、それぞれ、特許請求の範囲の「一方側リード線部」および「他方側リード線部」の一例である。
【００２６】
また、図４に示すように、リード線部４４は、径方向外側（Ｒ２方向側）に延びる部分を有する。具体的には、リード線部４４は、周方向のＡ２方向側に沿って延びる部分４４ａと、回転軸線方向に沿って延びる部分４４ｂと、径方向外側（Ｒ２方向側）に沿って延びる部分４４ｃとを含む。また、部分４４ｃの先端側には、径方向に沿って延びる先端部４４ｄが設けられている。また、先端部４４ｄの絶縁被覆は、除去されている。なお、先端部４３ｆおよび４４ｄは、特許請求の範囲の「第２先端部」の一例である。上記のように、同芯巻コイル３０および同芯巻コイル４０のそれぞれは、一方側リード線部（３３、４３）の先端部（３３ｆ、４３ｆ）と他方側リード線部（３４、４４）の先端部（３４ｃ、４４ｄ）とがともに径方向に沿って延びる形状を有する。
【００２７】
図５に示すように、同芯巻コイル５０は、一対の脚部５１と、渡り部５２と、リード線部５３と、リード線部５４とを有する。また、リード線部５３は、同芯巻コイル５０の最内径側に配置される脚部５１に連続している。また、リード線部５４は、同芯巻コイル５０の最外径側に配置される脚部５１に連続している。なお、リード線部５３およびリード線部５４は、それぞれ、特許請求の範囲の「一方側リード線部」および「他方側リード線部」の一例である。
【００２８】
また、リード線部５３は、リード線部３３の径方向外側（Ｒ２方向側）に延びる部分が曲げられて軸方向外側に延びるように構成された部分を有する。リード線部５３は、同芯巻コイル５０の内径側から外径側に延びるように設けられている。具体的には、リード線部５３は、周方向のＡ１方向側に沿って延びる部分５３ａと、回転軸線方向に沿って延びる部分５３ｂと、径方向外側（Ｒ２方向側）に沿って延びる部分５３ｃと、径方向に交差するように、つまり、径方向外側に向かって、かつ、周方向のＡ１方向側に向かって（略水平に）延びる部分５３ｄと、回転軸線方向に沿って延びる部分５３ｅとを含む。また、部分５３ｅの先端側には、回転軸線方向に沿って延びる先端部５３ｆが設けられている。また、先端部５３ｆの絶縁被覆は、除去されている。
【００２９】
また、同芯巻コイル５０のリード線部５３は、径方向外側に向かって延びる部分（部分５３ｃおよび部分５３ｄ）と、回転軸線方向に向かって延びる部分５３ｅとの間に曲げ部５３ｇを有しており、曲げ部５３ｇは、ボルト２の内径側の端部Ｅ２よりも径方向内側に位置する。つまり、同芯巻コイル３０のリード線部３３と同芯巻コイル５０のリード線部５３とを比較すると、同芯巻コイル５０のリード線部５３は、同芯巻コイル３０のリード線部３３の部分３３ｅが、ボルト２の内径側の端部Ｅ２よりも径方向内側の位置でフラットワイズ曲げされた形状を有している。
【００３０】
また、図５に示すように、リード線部５４は、径方向外側（Ｒ２方向側）に延びる部分を有さずに、軸方向外側に延びる部分を有する。リード線部５４は、同芯巻コイル５０の外径側に配置されている。具体的には、リード線部５４は、回転軸線方向に沿って延びる部分５４ａを含む。また、部分５４ａの先端側には、回転軸線方向に沿って延びる先端部５４ｂが設けられている。また、先端部５４ｂの絶縁被覆は、除去されている。なお、先端部５３ｆおよび５４ｂは、特許請求の範囲の「第３先端部」の一例である。
【００３１】
また、リード線部５３の部分５４ａ（先端部５４ｂ）は、ボルト２の内径側の端部Ｅ２よりも径方向内側に位置する。つまり、同芯巻コイル３０のリード線部３４と同芯巻コイル５０のリード線部５４とを比較すると、同芯巻コイル５０のリード線部５４は、同芯巻コイル３０のリード線部３４の部分３４ｂが、ボルト２の内径側の端部Ｅ２よりも径方向内側の位置でフラットワイズ曲げされた形状を有している。
【００３２】
図６に示すように、同芯巻コイル６０は、同芯巻コイル５０と同様に、一対の脚部６１と、渡り部６２と、リード線部６３と、リード線部６４とを有する。また、リード線部６３は、同芯巻コイル６０の最内径側に配置される脚部６１に連続している。また、リード線部６４は、同芯巻コイル６０の最外径側に配置される脚部６１に連続している。なお、リード線部６３およびリード線部６４は、それぞれ、特許請求の範囲の「一方側リード線部」および「他方側リード線部」の一例である。
【００３３】
リード線部６３は、同芯巻コイル６０の内径側から外径側に延びるように設けられている。なお、リード線部６３の構成は、上記の同芯巻コイル５０のリード線部５３の構成と同様である。つまり、リード線部６３は、リード線部４３の径方向外側（Ｒ２方向側）に延びる部分が曲げられて軸方向外側に延びるように構成された部分を有する。また、リード線部６３の先端側には、回転軸線方向に沿って延びる先端部６３ｆが設けられている。また、先端部６３ｆの絶縁被覆は、除去されている。
【００３４】
また、図６に示すように、リード線部６４は、同芯巻コイル６０の外径側に配置されている。また、リード線部６４は、径方向外側（Ｒ２方向側）に延びる部分を有さずに、軸方向外側に延びる部分を有する。具体的には、リード線部６４は、周方向のＡ２方向側に沿って延びる部分６４ａと、回転軸線方向に沿って延びる部分６４ｂを含む。また、部分６４ｂの先端側には、回転軸線方向に沿って延びる先端部６４ｃが設けられている。また、先端部６４ｃの絶縁被覆は、除去されている。なお、先端部６４ｆおよび６４ｃは、特許請求の範囲の「第４先端部」の一例である。
【００３５】
また、リード線部６４の部分６４ｂ（先端部６３ｃ）は、ボルト２の内径側の端部Ｅ２よりも径方向内側に位置する。つまり、同芯巻コイル４０のリード線部４４と同芯巻コイル６０のリード線部６４とを比較すると、同芯巻コイル６０のリード線部６４は、同芯巻コイル４０のリード線部４４の部分４４ｃが、ボルト２の内径側の端部Ｅ２よりも径方向内側の位置でフラットワイズ曲げされた形状を有している。
【００３６】
また、後述する第２接合部２３の周囲において、リード線部５３、リード線部６３、リード線部５４およびリード線部６４が、回転軸線方向に沿って延びるように形成されている。具体的には、同芯巻コイル５０および同芯巻コイル６０のそれぞれは、一方側リード線部（５３、６３）の先端部（５３ｆ、６３ｆ）と他方側リード線部（５４、６４）の先端部（５４ｂ、６４ｃ）とがともに回転軸線方向に沿って延びる形状を有する。
【００３７】
ここで、本実施形態では、図７および図８に示すように、同芯巻コイル３０のリード線部３３（３４）の端部側に設けられる先端部３３ｆ（３４ｃ）と、同芯巻コイル４０のリード線部４４（４３）の端部側に設けられる先端部４４ｄ（４３ｆ）とが、回転軸線方向から見て、締結孔１１に挿入される締結部材１の内径側の端部Ｅ１よりも外径側に配置されているとともに、径方向に沿って延びるように設けられた状態で接合されて構成されている第１接合部２２が設けられている。
【００３８】
具体的には、本実施形態では、図９に示すように、第１接合部２２は、先端部３３ｆ（３４ｃ）および４４ｄ（４３ｆ）がともに径方向外側に延びた状態で、かつ、先端部３３ｆおよび先端部４４ｄ同士が回転軸線方向に積層された状態で、先端部４３ｆおよび先端部３４ｃ同士が、回転軸線方向に積層された状態で接合されて構成されている。
【００３９】
また、本実施形態では、図７および図８に示すように、締結部材１に対応する位置に設けられ、同芯巻コイル５０のリード線部５３（５４）の端部側に設けられる先端部５３ｆ（５４ｂ）と、同芯巻コイル６０のリード線部６４（６３）の端部側に設けられる先端部６４ｃ（６４ｆ）とが、回転軸線方向から見て、締結部材１に重ならないように、回転軸線方向に沿って延びるように設けられた状態で接合されて構成されている第２接合部２３が設けられている。
【００４０】
具体的には、本実施形態では、図１０に示すように、第２接合部２３は、先端部５３ｆ（５４ｂ）および６４ｃ（６３ｆ）がともに回転軸線方向に延びた状態で、かつ、先端部５３ｆおよび先端部６４ｃ同士が、径方向に積層された状態で、先端部６３ｆおよび先端部５４ｂ同士が、径方向に積層された状態で接合されて構成されている。
【００４１】
また、本実施形態では、図７および図８に示すように、回転軸線方向から見て、第１接合部２２よりも、第２接合部２３の方が、内径側に配置されている。具体的には、回転軸線方向から見て、第１接合部２２は、バックヨーク１４の外径側に配置されている。一方、第２接合部２３は、バックヨーク１４の内径側に配置されている。
【００４２】
また、本実施形態では、第２接合部２３は、周方向において、互いに隣り合うように複数（本実施形態では、２つ）設けられている。そして、周方向において、互いに隣り合うように複数設けられている第２接合部２３の相は、同じ（たとえば、Ｕ相）である。
【００４３】
また、本実施形態では、第２接合部２３を覆うように絶縁被覆部９０が設けられている。絶縁被覆部９０は、互いに隣り合うように複数（本実施形態では、２つ）設けられている同相の第２接合部２３同士を覆うように設けられている。絶縁被覆部９０は、たとえば、樹脂からなる。つまり、４つのリード線部（先端部）が１つの絶縁被覆部９０により覆われている。なお、互いに隣り合うように複数（本実施形態では、２つ）設けられている第１接合部２２も、絶縁被覆部９０により覆われている。また、絶縁被覆部９０により覆われている複数の第１接合部２２は、同相（Ｕ相、Ｖ相、または、Ｗ相）である。
【００４４】
また、本実施形態では、図１に示すように、締結部材１が挿入される締結孔１１は、周方向に沿って等角度間隔で複数設けられている。具体的には、締結孔１１は、８個設けられている。そして、複数（８個）の締結孔１１それぞれの周方向位置に対応するように、第２接合部２３（具体的には、第２接合部２３の組）が複数設けられている。第２接合部２３の組は、複数（７個）設けられている。なお、図１１に示すように、第２接合部２３（同芯巻コイル５０および６０）は、中性線７０および動力線８０の周囲には設けられていない。また、この７個の第２接合部２３の組は、同相（たとえば、Ｕ相）である。
【００４５】
また、本実施形態では、図７および図８に示すように、径方向から見て、締結部材１の周方向における位置と、第２接合部２３の周方向における位置とがオーバラップしている。具体的には、締結部材１の周方向の幅よりも小さい範囲内に、第２接合部２３が位置している。なお、本実施形態では、複数の第２接合部２３の全ての周方向における位置が、径方向から見て、締結部材１の周方向における位置とオーバラップしている一方、締結部材１の周方向における位置とオーバラップしない位置に第２接合部２３が設けられていてもよい。
【００４６】
また、本実施形態では、図７に示すように、回転軸線方向から見て、第１接合部２２は、ステータコア１０の外周面１０ｂよりも内径側に配置されている。なお、ボルト２の内径側の端部Ｅ２およびワッシャ３の内径側の端部Ｅ１は、ステータコア１０の外周面１０ｂよりも内径側に配置されている。
【００４７】
また、本実施形態では、図７および図８に示すように、回転軸線方向から見て、第１接合部２２（第１接合部２２の少なくとも一部）は、ボルト２の内径側の端部Ｅ２およびワッシャ３の内径側の端部Ｅ１よりも径方向外側に配置されており、かつ、複数設けられている。そして、複数の第１接合部２２は、径方向外側に向かって放射状に延びるように配置されている。
【００４８】
また、本実施形態では、回転軸線方向から見て、第２接合部２３（第２接合部２３の全ての部分）は、ボルト２の内径側の端部Ｅ２およびワッシャ３の内径側の端部Ｅ１よりも径方向内側に配置されている。
【００４９】
また、図７に示すように、回転軸線方向から見て、第１接合部２２と第２接合部２３とは、締結部材１の中心軸線Ｃ２よりも内径側に配置されている。また、回転軸線方向から見て、第１接合部２２と第２接合部２３とは、締結孔１１内径側の端部Ｅ３（図２参照）よりも、内径側に配置されている。
【００５０】
また、本実施形態では、図２に示すように、第１接合部２２の上端からステータコア１０の端面１０ａまでの軸方向距離Ｌ１は、締結部材１（ボルト２）の上端からステータコア１０の端面１０ａまでの軸方向距離Ｌ２よりも大きい。詳細には、第１接合部２２の下端から端面１０ａまでの軸方向距離Ｌ３も、締結部材１（ボルト２）の上端から端面１０ａまでの軸方向距離Ｌ２よりも大きい。また、第２接合部２３の上端から端面１０ａまでの軸方向距離Ｌ４および下端から端面１０ａまでの軸方向距離Ｌ５は、第１接合部２２の上端の軸方向距離Ｌ１、および、締結部材１（ボルト２）の上端から端面１０ａまでの軸方向距離Ｌ２よりも大きい。
【００５１】
（本実施形態の効果）
本実施形態では、以下のような効果を得ることができる。
【００５２】
本実施形態では、上記のように、締結部材（１）に対応する位置に設けられ、第３コイル（５０）のリード線部（５３、５４）の端部側に設けられる第３先端部（５３ｆ、５４ｂ）と、第４コイル（６０）のリード線部（６３、６４）の端部側に設けられる第４先端部（６３ｆ、６４ｃ）とが、回転軸線方向から見て、締結部材（１）に重ならないように、回転軸線方向に沿って延びるように設けられた状態で接合されて構成されている第２接合部（２３）が設けられている。これにより、第２接合部（２３）が、回転軸線方向に沿って延びるように設けられているので、接合部を周方向に避けるように構成する場合と異なり、第１接合部（２２）と第２接合部（２３）との間の距離が比較的大きくなる。その結果、第１接合部（２２）および第２接合部（２３）の周囲に冶具（絶縁被覆部（９０）により覆うための冶具）を容易に配置することができるので、ステータ（１００）の生産性を向上させることができる。また、第２接合部（２３）が、回転軸線方向に沿って延びるように設けられているので、締結部材（１）および締結部材（１）を組み付ける冶具との干渉を防止することができる。これらの結果、締結部材（１）および締結部材（１）を組み付ける冶具との干渉を防止しながら、量産性を向上させることができる。
【００５３】
また、全ての接合部を回転軸線方向に沿って延びる第２接合部（２３）により構成する場合と異なり、一部の接合部は、第１接合部（２２）により構成される。これにより、第１接合部（２２）により構成された部分の回転軸線方向の長さが比較的小さくなるので、第１接合部（２２）により構成された部分の周囲に他の部材などを配置することができる。
【００５４】
また、全ての接合部を回転軸線方向に沿って延びる第２接合部（２３）により構成する場合と異なり、第１接合部（２２）が径方向（径方向外側）に沿って延びることによって、第１接合部（２２）の先端部（３３ｆ、３４ｃ、４３ｆ、４４ｄ）同士の間隔が比較的大きくなる。これにより、第１接合部（２２）の先端部（３３ｆ、３４ｃ、４３ｆ、４４ｄ）を処理するための治具を容易に配置することができるので、ステータ（１００）の量産性を向上させることができる。
【００５５】
また、本実施形態では、上記のように、回転軸線方向から見て、第１接合部（２２）よりも、第２接合部（２３）の方が、内径側に配置されている。このように構成すれば、第２接合部（２３）が内径側に配置されているので、第２接合部（２３）とステータ（１００）を組み付ける冶具とが干渉するのを、容易に防止することができる。
【００５６】
また、本実施形態では、上記のように、径方向から見て、締結部材（１）の周方向における位置と、第２接合部（２３）の周方向における位置とがオーバラップしている。このように構成すれば、回転軸線方向から見て、締結部材（１）に重ならないように、第２接合部（２３）を配置することができる。また、全ての第２接合部（２３）の周方向における位置が、締結部材（１）の周方向における位置とオーバラップしている場合、周方向において、第２接合部（２３）を比較的狭い範囲に配置することができるので、第１接合部（２２）により構成された部分を比較的大きくすることができる。その結果、第１接合部（２２）により構成された部分の周囲に、比較的大きな他の部材などを配置することができる。
【００５７】
また、本実施形態では、上記のように、締結部材（１）が挿入される締結孔（１１）は、周方向に沿って等角度間隔で複数設けられており、複数の締結孔（１１）それぞれの周方向位置に対応するように、第２接合部（２３）が設けられている。このように構成すれば、複数の第２接合部（２３）が同相であるので、各相ごとに第２接合部（２３）が設けられる場合と異なり、第２接合部（２３）を構成するコイル（２０）の種類（形状）が増加するのを抑制することができる。
【００５８】
また、本実施形態では、上記のように、第２接合部（２３）を覆う絶縁被覆部（９０）が設けられている。これにより、絶縁被覆部（９０）により、容易に、第２接合部（２３）を絶縁することができる。
【００５９】
また、本実施形態では、上記のように、第２接合部（２３）は、周方向において、互いに隣り合うように複数設けられており、周方向において、互いに隣り合うように複数設けられている第２接合部（２３）の相は、同じである。このように構成すれば、互いに隣り合うように複数設けられている第２接合部（２３）の相が同じであるので、互いに隣り合うように複数設けられている第２接合部（２３）の絶縁を容易に確保することができる。
【００６０】
また、本実施形態では、上記のように、絶縁被覆部（９０）は、ステータ（１００）は、互いに隣り合うように複数設けられている同相の第２接合部（２３）同士を覆うように設けられる。このように構成すれば、同相の第２接合部（２３）が絶縁被覆部（９０）に覆われるので、絶縁被覆部（９０）を介して第２接合部（２３）同士が短絡するのを防止することができる。
【００６１】
また、本実施形態では、上記のように、回転軸線方向から見て、第１接合部（２２）は、ステータコア（１０）の外周面（１０ｂ）よりも内径側に配置されている。このように構成すれば、第１接合部（２２）がステータコア（１０）の外周面（１０ｂ）よりも外径側に配置される場合と比べて、ステータ（１００）の径方向の大きさを小さくすることができる。
【００６２】
また、本実施形態では、上記のように、第１接合部（２２）は、第１先端部（３３ｆ、３４ｃ）および第２先端部（４３ｆ、４４ｄ）がともに径方向外側に延びた状態で、かつ、第１先端部（３３ｆ、３４ｃ）および第２先端部（４３ｆ、４４ｄ）同士が回転軸線方向に積層された状態で接合されて構成されている。また、第２接合部（２３）は、第３先端部（５３ｆ、５４ｂ）および第４先端部（６３ｆ、６４ｃ）がともに回転軸線方向に延びた状態で、かつ、第３先端部（５３ｆ、５４ｂ）および第４先端部（６３ｆ、６４ｃ）同士が径方向に積層された状態で接合されて構成されている。このように構成すれば、全ての先端部を周方向に並べた状態で接合する場合と比べて、第１接合部（２２）同士の間隔、および、第１接合部（２２）と第２接合部（２３）との間の間隔が大きくなるので、接合部同士の絶縁を容易に確保することができる。
【００６３】
また、本実施形態では、上記のように、第１接合部（２２）の上端からステータコア（１０）の端面（１０ａ）までの軸方向距離（Ｌ１）は、締結部材（１）の上端（１０）からステータコアの端面（１０ａ）までの軸方向距離（Ｌ２）よりも大きい。このように構成すれば、締結部材（１）の高さが比較的小さくなるので、締結部材（１）と他の部材とが干渉するのを抑制することができる。
【００６４】
また、本実施形態では、上記のように、複数のコイル（２０）のそれぞれは、平角導線（２１）が複数回巻回されて構成されており、複数のコイル（２０）のそれぞれのリード線部は、平角導線（２１）の一方端側に配置され、ステータコア（１０）の内径側から外径側に延びるように設けられる一方側リード線部と、平角導線（２１）の他方端側に配置され、ステータコア（１０）の外径側に設けられる他方側リード線部とを含む。そして、第１コイル（３０）および第２コイル（４０）のそれぞれは、一方側リード線部（３３、４３）の先端部（３３ｆ、４３ｆ）と他方側リード線部（３４、４４）の先端部（３４ｃ、４４ｄ）とがともに径方向に沿って延びる形状を有する。また、第３コイル（５０）および第４コイル（６０）のそれぞれは、一方側リード線部（５３、６３）の先端部（５３ｆ、６３ｆ）と他方側リード線部（５４、６４）の先端部（５４ｂ、６４ｃ）とがともに回転軸線方向に沿って延びる形状を有する。このように構成すれば、第３コイル（５０）および第４コイル（６０）の形状を同様にすることができるため、第１コイル（３０）および第２コイル（４０）に対して、第３コイル（５０）および第４コイル（６０）として一種類のコイルを追加するだけで、容易に、締結部材（１）および締結部材（１）を組み付ける冶具との干渉を防止しながら、量産性を向上させることができる。
【００６５】
また、本実施形態では、上記のように、回転軸線方向から見て、第１接合部（２２）は、締結部材（１）の内径側の端部（Ｅ１、Ｅ２）よりも径方向外側に配置されており、かつ、複数設けられており、複数の第１接合部（２２）は、径方向外側に向かって放射状に延びるように配置されている。このように構成すれば、第１接合部（２２）の径方向外側の端部同士の間隔が確実に大きくなるので、第１接合部（２２）の先端部（３３ｆ、３４ｃ、４３ｆ、４４ｄ）を処理するための治具を確実に配置することができる。
【００６６】
また、本実施形態では、上記のように、回転軸線方向から見て、第２接合部（２３）は、締結部材（１）の内径側の端部（Ｅ１、Ｅ２）よりも径方向内側に配置されている。このように構成すれば、第１接合部（２２）と第２接合部（２３）との間隔が比較的大きくなるので、第１接合部（２２）の先端部（３３ｆ、３４ｃ、４３ｆ、４４ｄ）、および、第２接合部（２３）の先端部（５３ｆ、５４ｂ、６３ｆ、６４ｃ）を処理するための治具を容易に配置することができる。
【００６７】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６８】
たとえば、上記実施形態では、ステータコア（電磁鋼板）に、締結孔が８個設けられている例を示したが、本発明はこれに限られない。たとえば、８個以外の数の締結孔が、ステータコア（電磁鋼板）に設けられていてもよい。
【００６９】
また、上記実施形態では、Ｕ相の同芯巻コイルの先端部が回転軸線方向に沿って延びるように設けられている例を示したが、本発明はこれに限られない。たとえば、Ｖ相またはＷ相の同芯巻コイルの先端部が回転軸線方向に沿って延びるように設けられていてもよい。
【００７０】
また、上記実施形態では、回転軸線方向に沿って延びるように設けられている第２接合部が、周方向に２個並んでいる例を示したが、本発明はこれに限られない。たとえば第２接合部が、周方向に３個以上並んでいてもよい。
【００７１】
また、上記実施形態では、周方向に２個並んでいる第１接合部（第２接合部）が、１つの絶縁被覆部に覆われている例を示したが、本発明はこれに限られない。たとえば、１つの接合部ごとに、絶縁被覆部が設けられていてもよい。
【００７２】
また、上記実施形態では、径方向に沿って延びるように設けられる第１接合部が、ステータコアの外周面よりも内径側に配置されている例を示したが、本発明はこれに限られない。たとえば、第１接合部が、ステータコアの外周面よりも外径側に配置されていてもよい。
【００７３】
また、上記実施形態では、２つのリード線部の先端部が、回転軸線方向または径方向に積層された状態で接合されている例を示したが、本発明はこれに限られない。たとえば、２つのリード線部の先端部が、周方向に積層された状態で接合されていてもよい。
【００７４】
また、上記実施形態では、同芯巻コイル３０（４０、５０および６０）の一方側リード線部３３（４３、５３、６３）が、Ａ１方向側に沿って延びる部分３３ｄ（５３ｄ）を有する例を示したが、本発明はこれに限られない。たとえば、同芯巻コイルの一方側リード線部がＡ１方向側に沿って延びる部分を有していなくてもよい。
【００７５】
また、上記実施形態では、同芯巻コイル４０（６０）の他方側リード線部４４（６４）が、Ａ２方向側に沿って延びる部分４４ａ（６４ａ）を有する例を示したが、本発明はこれに限られない。たとえば、同芯巻コイルの他方側リード線部がＡ２方向側に沿って延びる部分を有していなくてもよい。
【符号の説明】
【００７６】
１  締結部材
１０  ステータコア
１０ａ  端面
１０ｂ  外周面
１１  締結孔
１２  スロット
１３  ティース
２０、３０、４０、５０、６０  同芯巻コイル（コイル）
２１  平角導線
２２  第１接合部
２３  第２接合部
３０  同芯巻コイル（コイル、第１コイル）
３１、４１、５１、６１  脚部
３２、４２、５２、６２  渡り部
３３、４３、５３、６３  リード線部（一方側リード線部）
３３ｆ、３４ｃ  先端部（第１先端部）
３４、４４、５４、６４  リード線部（他方側リード線部）
４０  同芯巻コイル（コイル、第２コイル）
４３ｆ、４４ｄ  先端部（第２先端部）
５０  同芯巻コイル（コイル、第３コイル）
５３ｆ、５４ｂ  先端部（第３先端部）
６０  同芯巻コイル（コイル、第４コイル）
６３ｆ、６４ｃ  先端部（第４先端部）
９０  絶縁被覆部
１００  ステータ
Ｅ１  端部
【図１】
2020194890.tif 000003
【図２】
2020194890.tif 000004
【図３】
2020194890.tif 000005
【図４】
2020194890.tif 000006
【図５】
2020194890.tif 000007
【図６】
2020194890.tif 000008
【図７】
2020194890.tif 000009
【図８】
2020194890.tif 000010
【図９】
2020194890.tif 000011
【図１０】
2020194890.tif 000012
【図１１】
2020194890.tif 000013
【国際調査報告】
2020194890.tif 000014
2020194890.tif 000015
2020194890.tif 000016
2020194890.tif 000017